(57)【要約】【課題】水抜き孔から進入する空気を原因とした漏水を防止すること。【解決手段】傾斜する屋根パネル２０の下方縁部が前枠１７に設けられたパネル装着部１７Ａに挿入されている屋根構造体であって、パネル装着部１７Ａには、水抜き孔１７８ｅが設けられ、パネル装着部１７Ａの内部には、水抜き孔１７８ｅを介してパネル装着部１７Ａの内部へ進入した空気の進行を邪魔する風防部材５０が設けられている。【選択図】図５
2020063625.tif 000002
【特許請求の範囲】
【請求項１】
傾斜する屋根パネルの下方縁部が横枠に設けられたパネル装着部に挿入されている屋根構造体であって、
前記パネル装着部には、水抜き孔が設けられ、
前記パネル装着部の内部には、パネル装着部の内部に突出する風防部材が設けられていることを特徴とする屋根構造体。
【請求項２】
前記風防部材は、板状に形成されていることを特徴とする請求項１に記載の屋根構造体。
【請求項３】
前記風防部材は、前記横枠の長手方向において前記水抜き孔に対応した位置に設けられていることを特徴とする請求項２に記載の屋根構造体。
【請求項４】
前記屋根パネルの側方縁部には、側枠が設けられ、
前記横枠のパネル装着部には、前記屋根パネルとともに前記側枠の下方端部が挿入されており、
前記風防部材は、前記横枠の長手方向において前記横枠と前記側枠との接合部に対応した位置に設けられていることを特徴とする請求項２に記載の屋根構造体。
【請求項５】
前記屋根パネルの側方縁部には、側枠が設けられ、
前記横枠のパネル装着部には、前記屋根パネルとともに前記側枠の下方端部が挿入されており、
前記風防部材は、前記横枠の長手方向において前記横枠及び前記側枠の接合部と、前記水抜き孔との間となる位置に設けられていることを特徴とする請求項２に記載の屋根構造体。
【請求項６】
前記風防部材は、前記パネル装着部の内部において前記横枠の長手に沿った全長にわたる部位に連続して設けられていることを特徴とする請求項３〜請求項５のいずれか一つに記載の屋根構造体。
【請求項７】
前記風防部材は、前記横枠と別体に構成されたものであり、前記横枠に設けられた溝状取付部に装着されていることを特徴とする請求項２に記載の屋根構造体。
【請求項８】
前記風防部材は、多孔質の軟質材によって成形されていることを特徴とする請求項１に記載の屋根構造体。
【発明の詳細な説明】
【技術分野】
【０００１】
本発明は、屋根構造体に関するものである。
【背景技術】
【０００２】
テラス囲い等、建物の外壁に設けられる屋外構造物では、屋根パネルの四周にフレーム材を装着することによって屋根構造体の屋根部分が構成されている。それぞれのフレーム材には、屋根パネルの縁部が挿入されるパネル装着部が設けられている。この種の屋根構造体では、屋根パネルの下縁部が挿入されるフレーム材（例えば、前枠）のパネル装着部に水抜き孔が設けられている。水抜き孔は、パネル装着部の底部に設けられた開口であり、前枠の長手に沿った複数箇所に設けられている。この屋根構造体によれば、屋根パネルや屋根パネルの側縁部が挿入されるフレーム材（例えば、垂木等の側枠）を伝って前枠のパネル装着部に進入した雨水等の水が、水抜き孔を通じて外部に排出されることになる（例えば、特許文献１参照）。
【先行技術文献】
【特許文献】
【０００３】
【特許文献１】実開平３−２９６２５号公報
【発明の概要】
【発明が解決しようとする課題】
【０００４】
ところで、パネル装着部に設けた水抜き孔は、外部に開口したものである。このため、風が吹いている状況下にあっては、室外の空気が水抜き孔を通じてパネル装着部の内部に進入するおそれがある。パネル装着部の内部に進入した空気は、隙間となる部分、例えば前枠と側枠との接合部に生じる隙間を通じて外部に排出される。このため、パネル装着部に雨水等の水が残存していた場合には、パネル装着部の内部を進行する空気とともに前枠と側枠との接合部から外部に水が排出されることになり、屋外構造物の室内への漏水が招来されることになる。
【０００５】
本発明は、上記実情に鑑みて、水抜き孔から進入する空気を原因とした漏水を防止することのできる屋根構造体を提供することを目的とする。
【課題を解決するための手段】
【０００６】
上記目的を達成するため、本発明に係る屋根構造体は、傾斜する屋根パネルの下方縁部が横枠に設けられたパネル装着部に挿入されている屋根構造体であって、前記パネル装着部には、水抜き孔が設けられ、前記パネル装着部の内部には、パネル装着部の内部に突出する風防部材が設けられていることを特徴とする。
【発明の効果】
【０００７】
本発明によれば、水抜き孔を通じてパネル装着部の内部に空気が進入しても、パネル装着部の内部に突出する風防部材によってその進行を邪魔することができるため、内部に残存する水が空気とともに外部に排出されるおそれがなくなり、屋外構造物の室内への漏水を防止することが可能となる。
【図面の簡単な説明】
【０００８】
【図１】本発明の実施の形態である屋根構造体を備えた屋外構造物を示すもので、（ａ）は外観斜視図、（ｂ）はフレーム材の構成を示す斜視図である。
【図２】図１に示した屋外構造物の平面一部拡大図である。
【図３】図１に示した屋外構造物の拡大断面側面図である。
【図４】図２におけるＸ−Ｘ線断面図である。
【図５】図１に示した屋外構造物の前枠部分を示したもので、（ａ）は前枠部分を屋根パネルの位置で破断した縦断面図、（ｂ）は前枠部分を側枠の部分で破断した縦断面図である。
【図６】本発明の変形例１を示すもので、（ａ）は前枠部分を屋根パネルの位置で破断した縦断面図、（ｂ）は前枠部分を側枠の部分で破断した縦断面図である。
【図７】本発明の変形例２を示すもので、（ａ）は前枠部分を屋根パネルの位置で破断した縦断面図、（ｂ）は前枠部分を側枠の部分で破断した縦断面図である。
【発明を実施するための形態】
【０００９】
以下、添付図面を参照しながら本発明に係る屋根構造体の好適な実施の形態について詳細に説明する。
図１〜図４は、本発明の実施の形態である屋根構造体を備えた屋外構造物を示したものである。ここで例示する屋外構造物１０は、建物の外壁Ｗに隣接したテラス１を利用してサンルームを構成するためのテラス囲いと称されるもので、複数のフレーム材を組み合わせることによって構成された略直方体状の外殻を備えている。フレーム材は、アルミニウム合金等の金属によって成形した押し出し形材であり、長手に沿った全長がほぼ一様の断面を有するように構成してある。本実施の形態では、フレーム材として、躯体縦枠１１、根太掛け１２、垂木掛け１３、妻梁１４、柱１５、桁１６、前枠（横枠）１７、腕木１８、妻垂木（側枠）１９を適用し、これらを適宜組み合わせることによって屋外構造物１０の外殻が構成してある。このうち、垂木掛け１３、前枠１７、妻垂木１９は、後述する屋根パネル２０とによって屋根構造体を構成するものである。
【００１０】
以下、屋外構造物１０についてより具体的に説明する。なお、以下においては便宜上、建物の上下に沿う方向を上下、外壁Ｗに沿って水平となる方向を左右、外壁Ｗに直交して水平となる方向を前後とし、外壁Ｗから離隔する方向を前方、外壁Ｗに近接する方向を後方と称することとする。
【００１１】
この屋外構造物１０では、まず、建物の外壁Ｗに左右の躯体縦枠１１を取り付けるとともに、躯体縦枠１１の下端部間に根太掛け１２を取り付け、かつ躯体縦枠１１の上端部間に垂木掛け１３を取り付けることにより、建物の外壁Ｗに矩形の枠が構成される。
【００１２】
根太掛け１２には、両端部から室外側に向けてほぼ水平となるように左右の妻梁１４が突設してあり、妻梁１４の延在端部には、それぞれ柱１５が連結してある。柱１５は、左右の躯体縦枠１１と同じ間隔を確保した位置に上下に沿う状態でテラス１に立設したものである。柱１５の上端は、躯体縦枠１１の上端よりも低くなるように設けてある。左右の柱１５の間には、桁１６及び前枠１７が取り付けてある。桁１６は、妻梁１４とほぼ同じ高さとなるように配設したもので、左右に沿ってほぼ水平に延在している。前枠１７は、左右両端部の下面にそれぞれ柱１５の上端面が当接するように配設してあり、垂木掛け１３よりも低い位置において左右に沿ってほぼ水平に延在している。なお、本実施の形態では、これら左右の柱１５、桁１６及び前枠１７によって構成される矩形状の前面開口２１に４枚建ての引き違い窓３０が取り付けてあり、それぞれの障子３１をスライドさせることで前面開口２１を開閉することが可能である。
【００１３】
前枠１７の両端部には、躯体縦枠１１との間にそれぞれ腕木１８が取り付けてある。腕木１８は、前枠１７の下方部から外壁Ｗに向けてほぼ水平に延在し、延在端部が躯体縦枠１１の室外に臨む表面１１ａに連結してあり、躯体縦枠１１、柱１５及び妻梁１４との間に矩形状の側方開口２２を構成している。なお、本実施の形態では、左右の側方開口２２にそれぞれＦＩＸ窓４０が取り付けてあり、側方開口２２が常時閉塞された状態にある。
【００１４】
さらに、前枠１７の両端部には、腕木１８よりも上方となる部位にそれぞれ妻垂木１９が取り付けてある。妻垂木１９は、建物の外壁Ｗに向けて漸次上方となるように傾斜し、延在端部がそれぞれ垂木掛け１３の両端部に連結してある。左右の妻垂木１９は、躯体縦枠１１、腕木１８及び前枠１７との間にそれぞれ台形状の屋根妻開口２３を構成し、かつ垂木掛け１３及び前枠１７との間に矩形状の屋根開口２４を構成している。屋根妻開口２３は、屋根妻パネル２５を配設することによって常時閉塞してある。屋根妻パネル２５としては、ポリカーボネート等の樹脂によって成形した透光性を有する板材を適用している。
【００１５】
屋根開口２４には、垂木掛け１３と前枠１７との間に妻垂木１９と平行となるように３つの垂木（側枠）２６が設けられるとともに、垂木２６によって４分割された開口を閉塞するようにそれぞれ屋根パネル２０が取り付けてある。屋根パネル２０は、屋外構造物１０の屋根となるもので、外壁Ｗから離隔するに従って漸次下方となるように傾斜して配設してある。図からも明らかなように、屋根パネル２０は、四周の縁部を垂木掛け１３、妻垂木１９、垂木２６及び前枠１７のそれぞれに設けたパネル装着部１３Ａ，１９Ａ，２６Ａ，１７Ａに挿入することにより、屋根開口２４の４つの開口を常時閉塞する状態で取り付けてある。屋根パネル２０としては、屋根妻パネル２５と同様、ポリカーボネート等の樹脂によって成形した透光性を有する板材を適用している。パネル装着部１３Ａ，１９Ａ，２６Ａ，１７Ａの内部においては、屋根パネル２０の上下両面に対して少なくとも一方にシール部材２０ａが当接した状態にある。屋根パネル２０に当接するシール部材２０ａは、予め成形された定形を成すものである。
【００１６】
図３に示すように、屋根パネル２０の上方縁部を支持する垂木掛け１３は、外壁Ｗに沿って上下に延在する基壁部１３ａと、基壁部１３ａの上縁から前方に向けて漸次下方となるように延在した上ヒレ部１３ｂと、基壁部１３ａにおいて上ヒレ部１３ｂよりも下方となる部位から前方に向けて漸次下方となるように延在した支持ヒレ部１３ｃとを有したものである。この垂木掛け１３では、基壁部１３ａよりも前方で上ヒレ部１３ｂと支持ヒレ部１３ｃとによって囲まれる領域にパネル装着部１３Ａが構成してある。
【００１７】
屋根パネル２０の側方縁部を支持する垂木２６及び妻垂木１９は、図４に示すように、それぞれ略矩形の筒状を成す垂木基部２６ａ，１９ａと、垂木基部２６ａ，１９ａの上方部において垂木基部２６ａ，１９ａとの間にパネル装着部２６Ａ，１９Ａを構成する上方カバー部２６ｂ，１９ｂとを一体に成形したものである。垂木２６のパネル装着部２６Ａは、両側面にそれぞれ開口するように構成してある一方、妻垂木１９のパネル装着部１９Ａは、屋根開口２４の内周側となる一方の側面にのみ開口するように構成してある。図３に示すように、垂木２６及び妻垂木１９の後端部は、垂木掛け１３に連結される部分であり、垂木基部２６ａ，１９ａ及び上方カバー部２６ｂ，１９ｂが同一の平面となるように構成してある。これに対して垂木２６及び妻垂木１９の前端部は、前枠１７に連結される部分であり、垂木基部２６ａ，１９ａよりも上方カバー部２６ｂ，１９ｂが前方に突出するように構成してある。
【００１８】
屋根パネル２０の下方縁部を支持する前枠１７は、図５に示すように、断面が異形の筒状を成す前枠基部１７０を備えている。本実施の形態では、水平方向に沿って延在する底壁部１７１と、底壁部１７１の前縁部から鉛直上方に延在する前壁部１７２と、底壁部１７１の後縁部から鉛直上方に延在する後壁部１７３と、後壁部１７３からさらに上方に延在する上方支持壁部１７４と、これら上方支持壁部１７４及び前壁部１７２の間を連結する上壁部１７５とを有して前枠基部１７０が構成してある。
【００１９】
上方支持壁部１７４は、後壁部１７３の前面において上縁よりわずかに下方となる部位から前方に向けてほぼ直角に屈曲した後、鉛直上方に向けて延在し、さらに上方に向けて漸次前方となるようにわずかに傾斜延在した部分である。上方支持壁部１７４の上縁部には、上述したシール部材２０ａが装着してある。上方支持壁部１７４のシール部材２０ａは、屋根パネル２０の下面に当接してこれを支持するためのものである。
【００２０】
上壁部１７５は、前壁部１７２の上縁部から後方に向けて漸次上方となるように傾斜延在した後、上方に向けてほぼ直角に屈曲し、さらに、後方に向けて漸次上方となるように傾斜延在したものである。この上壁部１７５は、延在縁部が上方支持壁部１７４の上縁よりもわずかに下方となる部位に連結しており、上述した底壁部１７１、後壁部１７３、前壁部１７２、上方支持壁部１７４との間に異形断面の中空部１７６を構成している。この上壁部１７５には、前方ヒレ部１７７及び上方ヒレ部１７８が設けてある。
【００２１】
前方ヒレ部１７７は、前枠基部１７０の外周に樋部１７９を構成するためのもので、前壁部１７２の前面中間部から斜め上方に突出した後、鉛直上方に向けて屈曲し、さらに屈曲縁部が後方に向けてわずかに屈曲している。前方ヒレ部１７７の延在縁部１７７ａは、上壁部１７５において上方に向けてほぼ直角に屈曲した部分の上縁１７５ａとほぼ同じ高さとなるように構成してある。
【００２２】
上方ヒレ部１７８は、上方支持壁部１７４との間に、屋根パネル２０の下方縁部を挿入するためのパネル装着部１７Ａを構成するもので、上方第１ヒレ片１７８ａ、上方第２ヒレ片１７８ｂ、上方第３ヒレ片１７８ｃ及び上方第４ヒレ片１７８ｄを有して構成してある。上方第１ヒレ片１７８ａは、上壁部１７５において上方に向けてほぼ直角に屈曲した部分の上縁１７５ａから前方に向けてほぼ水平に延在したもので、下方に向けてわずかに凸となるように湾曲している。上方第２ヒレ片１７８ｂは、上方第１ヒレ片１７８ａの前縁から前方に向けて漸次上方となるように傾斜延在したものである。上方第３ヒレ片１７８ｃは、上方第２ヒレ片１７８ｂの上縁から屈曲し、後方に向けて漸次上方となるように傾斜延在したものである。この上方第３ヒレ片１７８ｃは、後縁の位置が上方支持壁部１７４の上縁よりも前方、かつ上方支持壁部１７４の上縁よりも上方となるように構成してある。上方第４ヒレ片１７８ｄは、上方第３ヒレ片１７８ｃの縁部から上方に向けてほぼ直角となるように屈曲したものである。つまり、これら上方第１ヒレ片１７８ａ、上方第２ヒレ片１７８ｂ、上方第３ヒレ片１７８ｃ及び上方第４ヒレ片１７８ｄを有した上方ヒレ部１７８は、上方支持壁部１７４との間に上方及び後方に開口するパネル装着部１７Ａを構成している。
【００２３】
図からも明らかなように、上方ヒレ部１７８には、前枠１７の長手に沿った複数箇所に水抜き孔１７８ｅが設けてある。水抜き孔１７８ｅは、図２に示すように、前枠１７の長手に沿った長孔状を成し、かつ下方に向けて開口するもので、上方ヒレ部１７８においてもっとも低位となる上方第１ヒレ片１７８ａに形成してある。本実施の形態では、妻垂木１９と垂木２６との間及び垂木２６の相互間となる部位の４箇所にそれぞれ水抜き孔１７８ｅが形成してある。
【００２４】
前枠基部１７０の後壁部１７３には、上縁部に下方支持壁部１７３ａが設けてある。下方支持壁部１７３ａは、垂木２６の垂木基部２６ａ及び妻垂木１９の垂木基部１９ａが載置される部分であり、後壁部１７３の上縁部から後方に向けて漸次上方となるように傾斜延在している。上述した垂木２６の上方カバー部２６ｂ及び妻垂木１９の上方カバー部１９ｂは、この下方支持壁部１７３ａに載置させた場合に、垂木２６の上方カバー部２６ｂ及び妻垂木１９の上方カバー部１９ｂが上方ヒレ部１７８の上方第４ヒレ片１７８ｄに当接することができるように、それぞれの寸法が設定してある。
【００２５】
さらに、上方支持壁部１７４には、前枠１７の長手に沿った全長にわたる部位に溝状取付部１７４ａが設けてある。溝状取付部１７４ａは、前方に向けて開口し、かつ開口幅に対して内部の寸法が大きいアリ溝状を成すものである。この溝状取付部１７４ａには、前枠１７の全長にわたる部位に風防部材５０が取り付けてある。風防部材５０は、アルミニウム合金等の金属によって成形した押し出し形材であり、全長にわたって一様の断面を有するように構成してある。本実施の形態では、平板状を成す基板部５０ａと、基板部５０ａの一方の縁部に設けた挿入板部５０ｂとを一体に成形した風防部材５０を適用している。この風防部材５０は、挿入板部５０ｂを溝状取付部１７４ａに配置し、溝状取付部１７４ａの開口から基板部５０ａが突出する状態で上方支持壁部１７４に取り付けてある。
【００２６】
図からも明らかなように、風防部材５０の基板部５０ａは、上方ヒレ部１７８の上方第１ヒレ片１７８ａ及び上方第２ヒレ片１７８ｂとの間に隙間を確保し、かつ上方第１ヒレ片１７８ａに設けた水抜き孔１７８ｅの開口に対してその上方域を覆う状態でパネル装着部１７Ａの内部において前方に向けて漸次下方となるように突出している。つまり、風防部材５０は、水抜き孔１７８ｅから前枠１７の上方支持壁部１７４と垂木２６の上方カバー部２６ｂとの接合部（以下、第１の接合部Ｃ１という）を結ぶ経路上に介在し、かつ水抜き孔１７８ｅから前枠１７の上方支持壁部１７４と妻垂木１９の上方カバー部１９ｂとの接合部（以下、第２の接合部Ｃ２という）を結ぶ経路上に介在し、水抜き孔１７８ｅから直接第１の接合部Ｃ１や第２の接合部Ｃ２へ至る経路に対して邪魔となるように配設してある。
【００２７】
上記のような構成を有する屋外構造物１０では、図１（ｂ）に示すように、建物の外壁Ｗに取り付けた躯体縦枠１１及び垂木掛け１３に対して妻垂木１９を取り付けた後、妻垂木１９の相互間に前枠１７を設けるとともに、前枠１７と垂木掛け１３との間に垂木２６を設け、さらに屋根開口２４に屋根パネル２０を取り付けることで屋根構造体が構成される。上述の前枠１７には、パネル装着部１７Ａに対して垂木２６の上方カバー部２６ｂ及び妻垂木１９の上方カバー部１９ｂとともに屋根パネル２０の下方縁部が挿入される。この状態においては、屋根パネル２０の下面に対して上方支持壁部１７４に装着したシール部材２０ａが当接し、かつ上面に対して上方第３ヒレ片１７８ｃの下面が当接した状態になる。垂木２６及び妻垂木１９については、上方カバー部２６ｂ，１９ｂの先端が上方第４ヒレ片１７８ｄに当接し、かつ上方カバー部２６ｂ，１９ｂの下面が上方支持壁部１７４の上縁に当接した状態となる。また、前枠１７の両小口端面には、パネル装着部１７Ａの両端及び樋部１７９の両端を閉じるように端部キャップ６０が取り付けられる。前枠１７の樋部１７９には、一方の端部に集水器１８０及び縦樋１８１によって排水経路が接続される。
【００２８】
この屋根構造体を備える屋外構造物１０によれば、テラス１の上方域が屋根パネル２０によって覆われるため、降雨時においても雨水が室内に滴下することがない。すなわち、屋根構造体に滴下した雨水は、屋根パネル２０、垂木２６及び妻垂木１９を伝って前方側に案内され、前枠１７の樋部１７９で受け止められるため、上述の排水経路によってテラス１外の地面に排出されることになる。従って、降雨時においても洗濯物を干すことができる等、屋外構造物１０の利便性が向上することになる。
【００２９】
ここで、屋根パネル２０や垂木２６及び妻垂木１９を伝った雨水の一部は、前枠１７との隙間を介してパネル装着部１７Ａに浸入する場合がある。すなわち、垂木２６や妻垂木１９の上方カバー部２６ｂ，１９ｂと前枠１７の上方第４ヒレ片１７８ｄとは、直接金属が接合する構成であるため、互いの隙間からパネル装着部１７Ａに雨水が浸入するおそれがある。また、屋根パネル２０は、下方縁部がパネル装着部１７Ａに挿入されているため、上面を伝った雨水がパネル装着部１７Ａに浸入するおそれがある。
【００３０】
しかしながら、この屋根構造体では、パネル装着部１７Ａの底部となる上方第１ヒレ片１７８ａに水抜き孔１７８ｅを設けるようにしている。従って、パネル装着部１７Ａに浸入した雨水は、水抜き孔１７８ｅを通じて外部に排出されることになる。水抜き孔１７８ｅからパネル装着部１７Ａの外部に排出された雨水は、前枠１７の上壁部１７５で受け止められ、そのまま樋部１７９に案内されるため、結局、排水経路によってテラス１外の地面に排出され、室内に浸入するおそれはない。
【００３１】
さらに、上述の屋根構造体では、パネル装着部１７Ａの内部に風防部材５０を突出するように設けている。従って、風が吹いている状況下において室外の空気が水抜き孔１７８ｅを通じてパネル装着部１７Ａの内部に進入したとしても、風防部材５０によってその進行が邪魔されることになり、進入した空気が外部に通じる隙間から直接排出されることがない。より具体的に説明すると、水抜き孔１７８ｅからパネル装着部１７Ａの内部に進入した空気は、風防部材５０の基板部５０ａに当接するため、あるいは基板部５０ａを迂回しながら進行するため、勢いが弱められることなり、浸入した勢いのまま第１の接合部Ｃ１や第２の接合部Ｃ２を通じてパネル装着部１７Ａの外部に排出されることがない。これにより、パネル装着部１７Ａの内部に浸入した雨水が水抜き孔１７８ｅから排出されずに残存していたとしても、水抜き孔１７８ｅから進入した空気とともに外部に排出される事態が招来されることがなく、室内への漏水を防止することができる。
【００３２】
しかも、上述の屋根構造体に適用する前枠１７では、前方ヒレ部１７７の延在縁部１７７ａが、上壁部１７５において上方に向けてほぼ直角に屈曲した部分の上縁１７５ａとほぼ同じ高さとなるように構成してある。従って、水抜き孔１７８ｅに対して直接外部の空気が進入することがなく、換言すれば、水抜き孔１７８ｅに対しては、前方ヒレ部１７７によって迂回しながら進行する空気のみがパネル装着部１７Ａの内部に進入するだけとなり、漏水の原因となる水抜き孔１７８ｅからの空気の進入自体を防止することができるようになる。これらの結果、上述の屋根構造体によれば、室内への漏水をより確実に防止することができるようになる。
【００３３】
なお、上述した実施の形態では、下方に向けて開口するように水抜き孔１７８ｅを形成し、パネル装着部１７Ａの内部に空気が進入し難くしているが、本発明はこれに限定されない。例えば、図６に示す変形例１のように、上方ヒレ部２７８として上壁部１７５から前方に向けて漸次上方となる上方第１ヒレ片２７８ａを有したものを形成し、この上方第１ヒレ片２７８ａに水抜き孔２７８ｂを形成することも可能である。この変形例１では、傾斜する上方第１ヒレ片２７８ａに水抜き孔２７８ｂが設けてあるため、実施の形態に比べて水抜き孔２７８ｂからパネル装着部１７Ａの内部に空気が進入し易い構造となる。しかしながら、パネル装着部１７Ａの内部に風防部材５０が設けてあり、内部に進入した空気の進行が邪魔されるため、室内への漏出を来すおそれがない。なお、変形例１において実施の形態と同様の構成については同一の符号が付してある。
【００３４】
また、上述した実施の形態及び変形例１では、前枠１７とは別体に風防部材５０を設けるようにしているが、前枠１７と一体に風防部材５０を設けるようにしても良い。なお、前枠１７と別体に風防部材５０を設ける場合に上述した実施の形態及び変形例１では、前枠と同じ金属によって成形しているが、本発明は必ずしもこれに限定されず、進入した空気の進行を邪魔するものであれば、その他の材料から成るものを適用しても構わない。例えば、図７に示す変形例２では、多孔質の軟質材であるスポンジによって風防部材２５０を構成し、これをパネル装着部１７Ａの内部に突出するように配設している。風防部材２５０を配設する条件は、実施の形態と同様である。図示の例では、実施の形態で適用した風防部材５０に対して板厚が大きくなるように風防部材２５０を形成し、板厚方向においても風防部材２５０がパネル装着部１７Ａの内部に突出するように配設している。従って、この変形例２においても、水抜き孔２７８ｂからパネル装着部１７Ａに進入した空気が風防部材２５０に当接するため、あるいは風防部材２５０を迂回しながら進行するため、勢いが弱められることなり、浸入した勢いのまま第１の接合部Ｃ１や第２の接合部Ｃ２を通じてパネル装着部１７Ａの外部に排出されることがない。これにより、パネル装着部１７Ａの内部に浸入した雨水が水抜き孔２７８ｂから排出されずに残存していたとしても、水抜き孔２７８ｂから進入した空気とともに外部に排出される事態が招来されることがなく、室内への漏水を防止することができる。しかも、スポンジによって成形された風防部材２５０を適用した場合には、実施の形態に比較して風防部材５０の重量を大幅に軽減できるため、前枠１７の全長にわたって風防部材２５０を配設しても前枠１７の軽量化を図ることが可能となる。なお、変形例２において実施の形態もしくは変形例２と同様の構成については同一の符号が付してある。
【００３５】
なお、上述した実施の形態及び変形例１、変形例２では、テラス囲いと称される屋外構造物１０に適用された屋根構造体を例示しているが、本発明は必ずしもこれに限定されず、その他のものにも適用することが可能である。
【００３６】
また、上述した実施の形態及び変形例１、変形例２では、風防部材５０，２５０を前枠１７の全長にわたって設けるようにしているが、必ずしも全長に設ける必要はない。例えば、水抜き孔１７８ｅ，２７８ｂを覆う位置に部分的に風防部材５０，２５０を設けても良いし、水抜き孔１７８ｅ，２７８ｂに対して第１の接合部Ｃ１及び第２の接合部Ｃ２が覆われるように風防部材５０，２５０を配設しても漏水を防止することは可能である。なお、後者の場合には、第１の接合部Ｃ１及び第２の接合部Ｃ２に近接する位置に部分的に風防部材５０，２５０を設けたり、水抜き孔１７８ｅ，２７８ｂと第１の接合部Ｃ１や第２の接合部Ｃ２との間となる位置に部分的に風防部材５０，２５０設けることが可能である。また風防部材５０，２５０は、パネル装着部１７Ａの内部において前方に突出させる必要はなく、後方に突出するように風防部材を設けても良い。さらに風防部材５０，２５０は、必ずしも水抜き孔１７８ｅ，２７８ｂに対向するように設ける必要はなく、例えばパネル装着部１７Ａの内部を左右に分割するように上下方向に沿って延在するように風防部材を設けても良い。
【００３７】
またさらに、上述した実施の形態及び変形例１、変形例２では、妻垂木１９と垂木２６との間及び垂木２６の相互間となる部位の４箇所にそれぞれ水抜き孔１７８ｅ，２７８ｂを設けるようにしているため、換言すれば、第１の接合部Ｃ１及び第２の接合部Ｃ２に対して前枠１７の長手方向にずれた複数箇所に水抜き孔１７８ｅ，２７８ｂを設けるようにしているため、水抜き孔１７８ｅ，２７８ｂから第１の接合部Ｃ１及び第２の接合部Ｃ２までの通気経路を長く確保することができ、漏水を防止する上で有利となる。しかしながら、本発明はこれに限定されず、任意の位置に水抜き孔１７８ｅ，２７８ｂを設けても良い。
【００３８】
以上のように、本発明に係る屋根構造体は、傾斜する屋根パネルの下方縁部が横枠に設けられたパネル装着部に挿入されている屋根構造体であって、前記パネル装着部には、水抜き孔が設けられ、前記パネル装着部の内部には、パネル装着部の内部に突出する風防部材が設けられていることを特徴としている。
【００３９】
この発明によれば、水抜き孔を通じてパネル装着部の内部に空気が進入しても、パネル装着部の内部に突出する風防部材によってその進行を邪魔することができるため、内部に残存する水が空気とともに外部に排出されるおそれがなくなり、屋外構造物の室内への漏水を防止することが可能となる。
【００４０】
また本発明は、上述した屋根構造体において、前記風防部材は、板状に形成されていることを特徴としている。
【００４１】
この発明によれば、パネル装着部の内部に板状の風防部材を突出させれば良いため、構造が複雑化することがなく、製造上の問題を招来するおそれがない。
【００４２】
また本発明は、上述した屋根構造体において、前記風防部材は、前記横枠の長手方向において前記水抜き孔に対応した位置に設けられていることを特徴としている。
【００４３】
この発明によれば、水抜き孔に対応した位置に風防部材が設けられるため、水抜き孔を通じて進入する空気の進行を効率的に弱めて漏水を防止することが可能となる。
【００４４】
また本発明は、上述した屋根構造体において、前記屋根パネルの側方縁部には、側枠が設けられ、前記横枠のパネル装着部には、前記屋根パネルとともに前記側枠の下方端部が挿入されており、前記風防部材は、前記横枠の長手方向において前記横枠と前記側枠との接合部に対応した位置に設けられていることを特徴としている。
【００４５】
この発明によれば、横枠と側枠との接合部に対応した位置に風防部材が設けられるため、横枠と側枠との接合部に生じる隙間から室内へ水が漏出する事態を確実に防止することができる。
【００４６】
また本発明は、上述した屋根構造体において、前記屋根パネルの側方縁部には、側枠が設けられ、前記横枠のパネル装着部には、前記屋根パネルとともに前記側枠の下方端部が挿入されており、前記風防部材は、前記横枠の長手方向において前記横枠及び前記側枠の接合部と、前記水抜き孔との間となる位置に設けられていることを特徴としている。
【００４７】
この発明によれば、水抜き孔から横枠と側枠との接合部の途中に風防部材が設けられるため、横枠と側枠との接合部に生じる隙間から室内へ水が漏出する事態を確実に防止することができる。
【００４８】
また本発明は、上述した屋根構造体において、前記風防部材は、前記パネル装着部の内部において前記横枠の長手に沿った全長にわたる部位に連続して設けられていることを特徴としている。
【００４９】
この発明によれば、横枠の全長にわたって空気の進行を邪魔することができるため、漏水を防止する効果がより確実となる。
【００５０】
また本発明は、上述した屋根構造体において、前記風防部材は、前記横枠と別体に構成されたものであり、前記横枠に設けられた溝状取付部に装着されていることを特徴としている。
【００５１】
この発明によれば、風防部材が横枠と別体に構成されるため、横枠の形状が複雑化することがなく漏水の発生を防止することが可能となる。
【００５２】
また本発明は、上述した屋根構造体において、前記風防部材は、多孔質の軟質材によって成形されていることを特徴としている。
【００５３】
この発明によれば、仮に風防部材を横枠の全長にわたる部位に設けた場合にも横枠の重量が増大する事態を抑えることが可能となる。
【符号の説明】
【００５４】
１７  前枠、１７Ａ  パネル装着部、１９  妻垂木、２０  屋根パネル、２６  垂木、５０，２５０  風防部材、１７４ａ  溝状取付部、１７８ｅ，２７８ｂ  水抜き孔、Ｃ１  第１の接合部、Ｃ２  第２の接合部
【図１】
2020063625.tif 000003
【図２】
2020063625.tif 000004
【図３】
2020063625.tif 000005
【図４】
2020063625.tif 000006
【図５】
2020063625.tif 000007
【図６】
2020063625.tif 000008
【図７】
2020063625.tif 000009